(57)【要約】フェムトセル内に配置された移動局との無線通信の方法を説明する。この方法は、フェムトセル内に配置された１つまたは複数の移動局に対するＩＭＳサービスを受けるために、フェムトセルをＩＭＳコア・ネットワークに登録するステップと、フェムトセル内に配置された移動局に追加サービスを提供するために、移動局をアプリケーション・サーバに別々に登録するステップとを含む。追加サービスは、ＣＤＭＡサービスとすることができる。また、フェムトセルをＩＭＳコア・ネットワークに登録するステップは、フェムトセル内に配置された移動局に対するＩＭＳサービスを要求するために、移動局に関する情報を含まないフェムトセル登録情報をＩＭＳコア・ネットワークに送信するステップを含むことができる。
2011502399.tif 000002
【特許請求の範囲】
【請求項１】
フェムトセル（２００）内に配置された少なくとも１つの移動局（１００）に対するＩＭＳサービスを受けるために、前記フェムトセルをＩＭＳコア・ネットワーク（３００）に登録するステップと、
前記フェムトセル内に配置された前記移動局に追加サービスを提供するために、前記移動局をアプリケーション・サーバ（３３０）に別々に登録するステップとを含む、無線通信の方法。
【請求項２】
前記追加サービスはＣＤＭＡサービスである、請求項１に記載の方法。
【請求項３】
前記フェムトセルを前記ＩＭＳコア・ネットワークに登録するステップは、
前記フェムトセル内に配置された移動局に対するＩＭＳサービスを要求するために、フェムトセル登録情報を前記ＩＭＳコア・ネットワークに送信するステップを含み、前記フェムトセル登録情報は前記移動局に関する情報を含まない、請求項１に記載の方法。
【請求項４】
前記ＩＭＳコア・ネットワークから認証鍵を受信するステップと、
前記受信された認証鍵および格納されたフェムトセル情報に基づいて、認証レスポンスを準備するステップと、
ＩＭＳサービスを受けるために、前記準備された認証レスポンスを前記ＩＭＳコア・ネットワークに送信するステップとをさらに含む、請求項３に記載の方法。
【請求項５】
前記フェムト・セルが登録された後に、前記ＩＭＳコア・ネットワークからグローバル・ランダム鍵を受信するステップと、
前記受信された鍵および時刻値を使用してチャレンジを導出するステップと、
前記チャレンジを前記移動局に送信するステップと、
前記送信されたチャレンジに応答する前記移動局にサービスを提供するステップとをさらに含む、請求項４に記載の方法。
【請求項６】
前記移動局を前記アプリケーション・サーバに別々に登録するステップは、
グローバル・チャレンジに対する認証レスポンスを移動局から受信するステップと、
前記認証レスポンスに基づいて、前記移動局に関連する第１ＳＩＰメッセージを生成するステップと、
前記追加サービスに関して前記移動局を登録するために、前記第１ＳＩＰメッセージを前記ＩＭＳコア・ネットワークに送信するステップと、
前記ＩＭＳコア・ネットワークから第２ＳＩＰメッセージを受信するステップと、
追加サービスに関する前記登録に関する情報を前記移動局に提供するステップとを含む、請求項１に記載の方法。
【請求項７】
前記第１ＳＩＰメッセージは、前記移動局の電子シリアル番号、前記移動局の移動識別番号、乱数、および時刻値のうちの少なくとも１つを含み、前記第２ＳＩＰメッセージは前記移動局のＭＤＮを含む、請求項６に記載の方法。
【請求項８】
被呼当事者番号（ＣｐＤＮ）を含む呼セットアップ要求を前記移動局から受信するステップと、
前記ＣｐＤＮおよび移動局情報を含むＳＩＰメッセージを生成するステップと、
前記呼要求についてＩＭＳコア・ネットワークに通知するために、前記生成されたＳＩＰメッセージを前記ＩＭＳコア・ネットワークに送信するステップとをさらに含む、請求項１に記載の方法。
【請求項９】
前記ＳＩＰメッセージは、前記ＳＩＰメッセージのサブ・アドレス内に前記移動局に関連する前記情報を含む、請求項８に記載の方法。
【請求項１０】
前記移動局に関連する前記情報は、移動識別番号、電子シリアル番号、およびＭＤＮのうちの少なくとも１つを含む、請求項９に記載の方法。
【発明の詳細な説明】
【技術分野】
【０００１】
優先権陳述
本特許出願は、その内容全体が参照によって本明細書に組み込まれている、２００７年１０月２６日に出願した米国仮出願第６１／０００，５７５号の、米国特許法第１１９条（ｅ）項の下での優先権を主張するものである。
【背景技術】
【０００２】
フェムト基地局は、基本的に、屋内（たとえば、家庭またはオフィス）に設置され、ケーブル、ＤＳＬ、業務用光ファイバ・リンク、または類似するＩＰバックホール・テクノロジを介してインターネットに接続される、低コスト低電力基地局トランシーバである。この接続は、フェムト基地局を無線オペレータのコア・ネットワークに一体化するのに使用される。
【０００３】
フェムト基地局は、単一の搬送波またはチャネルを介して、フェムトセルとして知られる地理的区域にサービスを提供する。フェムトセルを含む無線ネットワークでは、フェムトセルに入ったときに、移動局は、現在の３ＧＰＰ２  ＣＤＭＡ２０００  ＥＶＤＯ標準規格（たとえば、３ＧＰＰ２  ＣＤＭＡ２０００  ＥＶＤＯ標準規格「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」、３ＧＰＰ２  Ｃ．Ｓ００２４−Ｂ，Ｖｅｒ．２．０（２００７年３月））その他などの周知の標準規格と矛盾しないブロードキャスト・オーバーヘッド・メッセージを受信する。
【０００４】
ＣＤＭＡ移動局が、回路接続（たとえば、ＣＤＭＡフェムトセル）を介してＩＰマルチメディアサブシステム（ＩＭＳ）に接続されるときに、ＩＭＳは、ＣＤＭＡモビリティ・ネットワーク・モデル内でＶ−ＭＳＣ（Ｖｉｓｉｔｅｄ  Ｍｏｂｉｌｅ  Ｓｗｉｔｃｈｉｎｇ  Ｃｅｎｔｅｒ）／ＶＬＲ（Ｖｉｓｉｔｏｒ  Ｌｏｃａｔｉｏｎ  Ｒｅｇｉｓｔｅｒ）をエミュレートする。ＣＤＭＡモビリティ・ネットワーク・モデルでは、Ｖ−ＭＳＣ／ＶＬＲは、サービスを受けることができる各ユーザに関連付けられた、プロビジョニングされた加入者データを有しない。その代わりに、Ｖ−ＭＳＣ／ＶＬＲは、Ｖ−ＭＳＣ／ＶＬＲによって現在サービスされるＣＤＭＡユーザにサービスを提供するのに必要な加入者データをホーム・ロケーション・レジスタ（ＨＬＲ）に登録し、動的に取り出す。
【０００５】
しかし、ＩＭＳは有線モデルに基づいており、この有線モデルの場合には、ＩＭＳのユーザは、基本的なアクセスさえ許可される前に、ＩＭＳ上の加入者として事前にプロビジョニングされなければならない。ＣＤＭＡネットワークとＩＭＳとの間のプロビジョニング戦略のこの衝突は、Ｖ−ＭＳＣ／ＶＬＲとしてＩＭＳを使用するときに問題になる。
【０００６】
プロビジョニング戦略に関するこの問題は、ＵＭＴＳフェムトセルに接続されたＵＭＴＳユーザにもあてはまる。
【０００７】
従来、プロビジョニング戦略衝突に対する解決策は、所与のＣＤＭＡフェムトセルを介するアクセスを許可されるＣＤＭＡユーザごとにＩＭＳ上に事前にプロビジョニングされる加入者レコードがあるという仮定の下に動作する。これは、しばしば、ＣＤＭＡユーザを各フェムトセルに関連するアクセス制御リスト（ＡＣＬ）または許可利用者リスト（Ａｕｔｈｏｒｉｚｅｄ  Ｕｓｅｒ  Ｌｉｓｔ／ＡＵＬ）に置くことに基づく半自動化されたプロビジョニング・プロセスとして考えられる。しかし、この方式は、少なくとも３つの問題を有する。
【０００８】
第１の問題は、本明細書では、アクセスを許可されるユーザのＡＣＬを有しない、「コーヒーショップ」フェムトセルまたは「公衆」フェムトセルと呼ばれる。この場合に、フェムトセルについて生成されたＡＣＬがないことを考慮すると、そのようなコーヒーショップ・フェムトセルまたは公衆フェムトセルのＣＤＭＡユーザに関するＩＭＳ加入者レコードのＨＳＳ移植（ｐｏｐｕｌａｔｉｏｎ）をトリガする形はない。
【０００９】
もう１つの問題は、サービス・プロバイダが、従来、ユーザごとのＩＭＳ加入者レコードが彼らには許容できないことをフィードバックしてきたことである。サービス・プロバイダは、フェムトセル・システムが、動的データ（たとえば、ＶＬＲダウンロードのみ）を用いて動作でき、ユーザごとの事前にプロビジョニングされるデータに依存しないことを望む。
【００１０】
もう１つの問題は、事前プロビジョニング解決策が、一般に、ＣＤＭＡユーザのＣＤＭＡサービス・プロバイダ・バック・オフィス・プロビジョニング・システムへのアクセスを必要とすることである。サービス・プロバイダは、他のサービス・プロバイダが彼らのバックオフィス・プロビジョニング・システムにアクセスすることを許可しないので、特定のサービス・プロバイダによってサービスされるフェムトセル上で別のサービス・プロバイダからのＣＤＭＡユーザをサポートすることには問題がある。たとえば、所与のフェムトセルが、Ｖｅｒｉｚｏｎ  ＷｉｒｅｌｅｓｓのＩＭＳおよびバックオフィス・システム・ネットワークに接続されている場合には、ＳｐｒｉｎｔユーザまたはＡｌｌｔｅｌユーザが、そのフェムトセル上のサービスを得ることは不可能である。というのは、事前プロビジョニングが、ＶｅｒｉｚｏｎシステムからＳｐｒｉｎｔまたはＡｌｌｔｅｌのバックオフィス・プロビジョニング・システムにアクセスできないことに起因してブロックされるからである。
【先行技術文献】
【非特許文献】
【００１１】
【非特許文献１】３ＧＰＰ２  ＣＤＭＡ２０００  ＥＶＤＯ標準規格「ｃｄｍａ２０００  Ｈｉｇｈ  Ｒａｔｅ  Ｐａｃｋｅｔ  Ｄａｔａ  Ａｉｒ  Ｉｎｔｅｒｆａｃｅ  Ｓｐｅｃｉｆｉｃａｔｉｏｎ」、３ＧＰＰ２  Ｃ．Ｓ００２４−Ｂ，Ｖｅｒ．２．０（２００７年３月）
【発明の概要】
【課題を解決するための手段】
【００１２】
例示的な実施形態は、移動局のプロビジョニングの方法およびフェムトセル内に配置された移動局との無線通信の方法を対象とする。
【００１３】
無線通信の方法は、フェムトセル内に配置された少なくとも１つの移動局に対するＩＭＳサービスを受けるために、フェムトセルをＩＭＳコア・ネットワークに登録するステップと、フェムトセル内に配置された移動局に追加サービスを提供するために、移動局をアプリケーション・サーバに別々に登録するステップとを含む。追加サービスは、ＣＤＭＡサービスである。
【００１４】
フェムトセルをＩＭＳコア・ネットワークに登録するステップは、フェムトセル内に配置された移動局に対するＩＭＳサービスを要求するために、フェムトセル登録情報をＩＭＳコア・ネットワークに送信するステップを含む。フェムトセル登録情報は、移動局に関する情報を含まない。
【００１５】
この方法は、ＩＭＳコア・ネットワークから認証鍵を受信するステップと、受信された認証鍵および格納されたフェムトセル情報に基づいて、認証レスポンスを準備するステップと、ＩＭＳサービスを受けるために、準備された認証レスポンスをＩＭＳコア・ネットワークに送信するステップとをも含むことができる。
【００１６】
さらに、この方法は、フェムト・セルが登録された後に、ＩＭＳコア・ネットワークからグローバル・ランダム鍵（ｇｌｏｂａｌ  ｒａｎｄｏｍ  ｋｅｙ）を受信するステップと、受信された鍵および時刻値を使用してチャレンジを導出するステップと、チャレンジを移動局に送信するステップと、送信されたチャレンジに応答する移動局にサービスを提供するステップとを含むことができる。
【００１７】
移動局をアプリケーション・サーバに別々に登録するステップは、グローバル・チャレンジに対する認証レスポンスを移動局から受信するステップと、認証レスポンスに基づいて、移動局に関連する第１ＳＩＰメッセージを生成するステップと、追加サービスに関して移動局を登録するために、第１ＳＩＰメッセージをＩＭＳコア・ネットワークに送信するステップと、ＩＭＳコア・ネットワークから第２ＳＩＰメッセージを受信するステップと、追加サービスに関する登録に関する情報を移動局に提供するステップとを含む。
【００１８】
第１ＳＩＰメッセージは、移動局の電子シリアル番号、移動局の移動識別番号、乱数、および時刻値のうちの少なくとも１つを含む。第２ＳＩＰメッセージは、移動局のＭＤＮ（ｍｏｂｉｌｅ  ｄｉｒｅｃｔｏｒｙ  ｎｕｍｂｅｒ）を含む。
【００１９】
この方法は、被呼当事者番号（ＣｐＤＮ）を含む呼セットアップ要求を移動局から受信するステップと、ＣｐＤＮおよび移動局情報を含むＳＩＰメッセージを生成するステップと、呼要求についてＩＭＳコア・ネットワークに通知するために、生成されたＳＩＰメッセージをＩＭＳコア・ネットワークに送信するステップとをも含むことができる。ＳＩＰメッセージは、ＳＩＰメッセージのサブ・アドレス内に移動局に関連する情報を含む。さらに、移動局に関連する情報は、移動識別番号、電子シリアル番号、およびＭＤＮのうちの少なくとも１つを含む。
【００２０】
さらに、この方法は、ページング要求とＩＭＳコア・ネットワークからの移動識別番号およびＭＤＮのうちの少なくとも１つとを含むＳＩＰメッセージを受信するステップと、ページング要求を含むＳＩＰメッセージに基づいて移動局をページングするステップと、移動局からページング応答を受信するステップと、ページング応答をＩＭＳコア・ネットワークに供給するステップとを含むことができる。
【００２１】
無線通信のもう１つの方法は、ＩＭＳサービスに関する登録情報をフェムトセルから受信するステップと、グローバル・ランダム鍵を生成するステップと、グローバル・ランダム鍵をフェムトセルに送信するステップとを含む。登録情報は、フェムトセル内に配置された移動局に関する情報を含まない。グローバル・ランダム鍵は、フェムトセル内に配置された移動局にチャレンジを送信するのに使用される。
【００２２】
この方法は、ＣＭＤＡサービスについて移動局を登録するためにフェムトセルのユーザ・エージェントから移動局情報を受信するステップと、移動局情報に基づいて移動局を認証するステップと、ＶＬＲ（ｖｉｓｉｔｉｎｇ  ｌｏｃａｔｉｏｎ  ｒｅｇｉｓｔｅｒ）としてホーム・ロケーション・レジスタ（ＨＬＲ）に登録するステップと、移動局情報に基づいてＨＬＲからＶＬＲプロファイルを受信するステップと、ＶＬＲとして移動局と通信するステップとをも含むことができる。移動局情報は、電子シリアル番号、移動識別番号、移動局によって受信された乱数、移動局によって生成された認証レスポンス、および時刻値のうちの少なくとも１つを含む。時刻値は、時刻に関連し、乱数が有効であることを判定するのに使用される。
【００２３】
この方法は、フェムトセルを、そのフェムトセル内に配置された移動局に提供されるＩＭＳサービスおよびＭＣＤＭＡサービスのエンドポイントとして扱う。
【００２４】
さらに、この方法は、移動局情報および被呼当事者番号を含むメッセージを受信するステップと、移動局情報に基づいて移動局を認証するステップと、移動局が認証された後に移動局情報を含む認証要求メッセージを生成するステップと、認証要求をＨＬＲに送信するステップと、被呼当事者番号に関連する移動局との通信経路を確立するために移動局のＭＤＮを含む第２ＳＩＰメッセージを供給するステップとを含むことができる。
【００２５】
この方法によれば、移動局を認証するステップは、乱数を生成するために関数にグローバル・ランダム鍵および時刻値を入力するステップと、生成された乱数が許容可能な範囲内にあることを検証するステップとを含む。
【００２６】
この方法は、移動局の移動識別番号を含むルーティング要求を受信するステップと、一時ローカル・ディレクトリ番号（ｔｅｍｐｏｒａｒｙ  ｌｏｃａｌ  ｄｉｒｅｃｔｏｒｙ  ｎｕｍｂｅｒ）を移動局に関連付けるステップと、ＳＩＰメッセージの生成および移動局に関連するフェムト・ユーザ・エージェントへの送信をトリガするステップと、ＳＩＰメッセージへの応答を受信するステップと、応答に基づいて移動局を認証するステップと、移動局が認証される場合に、移動局と移動局との間のトラフィック・チャネルの確立中にＶＬＲとして働いて、フェムトセル内に配置された移動局への呼を開始するステップとをも含むことができる。ＳＩＰメッセージは、サブ・アドレス内に移動局の移動識別番号を含む。
【００２７】
移動局を認証するステップは、乱数を生成するために関数にグローバル・ランダム鍵および時刻値を入力するステップと、生成された乱数が許容可能な範囲内にあることを検証するステップとを含むことができる。
【００２８】
ＩＰマルチメディアサブシステム（ＩＭＳ）通信の方法は、フェムトセル内に配置された移動局に対するＩＭＳサービスを要求するためにＩＭＳコア・ネットワークにフェムトセル登録情報を送信するステップを含む。この方法によれば、フェムトセル登録情報は、移動局に関する情報を含まない。たとえば、フェムトセル登録情報は、フェムトセルに関する情報だけを含むことができる。
【００２９】
例示的な実施形態の上記および他の特徴および利益は、添付図面を参照して本開示の次の詳細な説明を再検討することによってより明白になるであろう。
【図面の簡単な説明】
【００３０】
【図１】例示的な無線通信システムを示す図である。
【図２Ａ】フェムトセルがパワー・アップするときにフェムト・ユーザ・エージェント（ＵＡ）によって実行されるＩＭＳ登録／認証を示す信号流れ図である。
【図２Ｂ】フェムトセルがパワー・アップするときにフェムト・ユーザ・エージェント（ＵＡ）によって実行されるＩＭＳ登録／認証を示す信号流れ図である。
【図２Ｃ】フェムトセルがパワー・アップするときにフェムト・ユーザ・エージェント（ＵＡ）によって実行されるＩＭＳ登録／認証を示す信号流れ図である。
【図３Ａ】フェムトセル内に配置されたＣＤＭＡ移動局の登録を示す信号流れ図である。
【図３Ｂ】フェムトセル内に配置されたＣＤＭＡ移動局の登録を示す信号流れ図である。
【図３Ｃ】フェムトセル内に配置されたＣＤＭＡ移動局の登録を示す信号流れ図である。
【図４Ａ】フェムトセル内に配置された移動局によって開始される呼に関係する動作および送信されるメッセージを示す信号流れ図である。
【図４Ｂ】フェムトセル内に配置された移動局によって開始される呼に関係する動作および送信されるメッセージを示す信号流れ図である。
【図４Ｃ】フェムトセル内に配置された移動局によって開始される呼に関係する動作および送信されるメッセージを示す信号流れ図である。
【図４Ｄ】フェムトセル内に配置された移動局によって開始される呼に関係する動作および送信されるメッセージを示す信号流れ図である。
【図５Ａ】フェムトセル内に配置された移動局宛の呼に関係する動作および送信されるメッセージを示す信号流れ図である。
【図５Ｂ】フェムトセル内に配置された移動局宛の呼に関係する動作および送信されるメッセージを示す信号流れ図である。
【図５Ｃ】フェムトセル内に配置された移動局宛の呼に関係する動作および送信されるメッセージを示す信号流れ図である。
【図５Ｄ】フェムトセル内に配置された移動局宛の呼に関係する動作および送信されるメッセージを示す信号流れ図である。
【図５Ｅ】フェムトセル内に配置された移動局宛の呼に関係する動作および送信されるメッセージを示す信号流れ図である。
【発明を実施するための形態】
【００３１】
次の説明では、限定ではなく説明のために、本発明の完全な理解を提供するために特定のアーキテクチャ、インターフェース、技法その他などの特定の詳細を示す。しかし、本発明の教示を図１から６に関して説明される特定の詳細から逸脱する他の例示的実施形態で実践できることは、当業者には明白である。いくつかの場合に、周知のデバイス、回路、および方法の詳細な説明は、不必要な詳細で本発明の説明を不明瞭にしないようにするために本願から省略する。本発明のすべての原理、態様、および実施形態、ならびにその特定の例は、本発明の構造的均等物と機能的均等物との両方を包含することが意図されている。さらに、そのような均等物が、現在既知の均等物ならびに将来に開発される均等物の両方を含むことが意図されている。
【００３２】
例示的な実施形態を、適切なコンピューティング環境で実施されるものとして本明細書で述べる。必要ではないが、例示的な実施形態を、１つまたは複数のコンピュータ・プロセッサまたはＣＰＵによって実行される、プログラム・モジュールまたは機能プロセスなどのコンピュータ実行可能命令の全般的文脈で説明する。一般に、プログラム・モジュールまたは機能プロセスは、特定のタスクを実行するか特定の抽象データ型を実施する、ルーチン、プログラム、オブジェクト、コンポーネント、データ構造などを含む。本明細書で述べるプログラム・モジュールおよび機能プロセスを、既存の通信ネットワーク内で既存のハードウェアを使用して実施することができる。たとえば、本明細書で述べるプログラム・モジュールおよび機能プロセスを、フェムト基地局、ＩＭＳのアプリケーション・サーバなどの既存のハードウェアを使用して実施することができる。
【００３３】
次の説明では、例示的実施形態を、そうではないと示されない限り、１つまたは複数のプロセッサによって実行される行為と動作の記号表現（たとえば、信号流れ図の形のとを参照して説明する。したがって、そのような行為および動作は、時々コンピュータ実行されると称するが、構造化された形でデータを表す電気信号のプロセッサによる操作を含むことを理解されたい。この操作は、データを変換し、あるいはコンピュータのメモリ・システム内の位置で維持し、これによって、当業者によく理解される形でコンピュータの動作を再構成し、あるいは他の形で変更する。
【００３４】
図１に、下で説明する例示的な実施形態を実施できる遠隔通信システム１０の諸部分を示す。遠隔通信システム１０は、ＣＤＭＡ移動局１００、フェムトセル２００、ＩＭＳ  ３００、ＣＤＭＡネットワーク４００、およびＰＳＴＮ  ５００を含む。フェムトセル２００は、フェムトセル基地局ルータによってサポートされるカバレージ・エリアを指し、フェムトセル基地局ルータは、ユーザ・エージェント（フェムトＵＡ）２１０を含む。以下では、用語フェムトセルは、フェムトセルの基地局および／またはフェムトセルの基地局ルータと交換可能に使用される。ＩＭＳ  ３００は、ＩＭＳパケット・ネットワーク３１０、ＣＳＣＦ  ３２０、本明細書ではＭＦＩＦ（ＭＡＰ  Ｆｅｍｔｏ  Ｉｎｔｅｒｗｏｒｋｉｎｇ  Ｆｕｎｃｔｉｏｎ）３３０と称するアプリケーション・サーバ（ＡＳ）、ＭＧＣＦ／ＭＧＷ  ３４０、およびホーム・サービング・システム（ＨＳＳ）３５０を含む。ＣＤＭＡネットワーク４００は、ＭＳＣ  ４１０およびＨＬＲ／ＡｕＣ  ４２０を含む。
【００３５】
図１は、単一の移動局１００だけを示す。しかし、フェムトセル２００が、任意の個数の移動局に通信サービスを提供することを理解されたい。本明細書で説明するように、移動局は、たとえば、セル電話機、ポータブル・コンピュータ、ポケット・コンピュータ、ハンドヘルド・コンピュータ、携帯情報端末（ＰＤＡ）、車載モバイル・デバイス、あるいは音声および／またはデータを通信する類似物を指す。
【００３６】
下で説明する例示的な実施形態は、主に、フェムトＵＡ  ２１０およびＭＦＩＦ  ３３０によって実行される方法を対象とする。フェムトセルがパワー・アップする時の通常の認証および登録を続行するＩＭＳサブスクリプションを含むフェムトＵＡ  ２１０を用いる無線通信の方法を、下で説明する。ＣＤＭＡ移動局１００は、フェムトＵＡ  ２１０によって「ゲスト」として扱われ、フェムトＵＡ  ２１０は、各ＣＤＭＡ移動局１００の代わりにＩＭＳ  ３００と通信する。下で説明する無線通信の方法では、ＩＭＳサービスに関係する登録／認証は、ＣＤＭＡサービスに関係する登録／認証とは別々であり、異なる。
【００３７】
図２は、フェムトセルがパワー・アップするときにフェムトＵＡ  ２１０によって実行されるＩＭＳ登録／認証を示す信号流れ図である。ＨＳＳ  ３５０が、認証秘密データを含むフェムトＵＡサブスクリプションを格納し、フェムトセル２００が、ＭＦＩＦ  ３３０への接続を提供することを含めてＩＭＳ  ３００からサービスを受けるために適当な認証レスポンスを提供するのに使用されるＩＭＳ認証データを格納することに留意されたい。
【００３８】
図２を参照すると、フェムトセル２００のアクティブ化（Ａ１）は、フェムトセル２００内に配置された移動局１００に提供されるＩＭＳサービスに関係するフェムトＵＡ  ２１０の登録プロセスを開始するものとして図示されている。フェムトＵＡ  ２１０は、セッション開始プロトコル（ＳＩＰ）登録メッセージ（ＲＥＧＩＳＴＥＲ）を生成することによって、ＩＭＳ  ３００への登録を開始する。フェムトＵＡ  ２１０は、登録メッセージをＣＳＣＦ  ３２０に送信する（Ｍ１）。図２に示されているように、登録メッセージは、「Ｆｒｏｍ」フィールド、「Ｔｏ」フィールド、および「Ｃｏｎｔａｃｔ」フィールドに識別される情報を含む。この情報は、フェムトＵＡ  ２１０だけに関係し、フェムトセル２００内に配置された移動局１００に関係する情報を含まない。
【００３９】
登録メッセージを受信するＣＳＣＦ  ３２０は、フェムトＵＡ  ２１０の登録データについてＨＳＳ  ３５０に照会する（Ａ２）。ＣＳＣＦ  ３２０は、ＨＳＳ  ３５０の照会に応答して受信された情報に基づいて認証情報を生成する。ＣＳＣＦ  ３２０によって生成されまたは使用される認証情報は、周知であり、たとえば、認証と鍵共有（ＡＫＡ）、乱数（ＲＡＮＤ）、認証トークン（ＡＵＴＮ）、完全性鍵（ＩＫ）、および暗号鍵（ＣＫ）を含むことができる。ＣＳＣＦ  ３２０は、ユーザ認証が必要であることを示すＳＩＰ  ４０１メッセージ内でフェムトＵＡ  ２１０に認証情報を通信する（Ｍ２）。
【００４０】
ＳＩＰ  ４０１メッセージの受信に応答して、フェムトＵＡ  ２１０は、第２登録メッセージをＣＳＣＦ  ３２０に送信する（Ｍ３）。第２登録メッセージは、認証レスポンスを含む。認証レスポンスは、一連の入力に関する認証アルゴリズムの出力であり、この入力の一部は、各認証イベントの一部としてフェムトＵＡ  ２１０に供給され、一部は、ＩＭＳ  ３００とフェムトＵＡ  ２１０との両方に既知であり、認証イベント中には渡されない。
【００４１】
ＣＳＣＦ  ３２０は、フェムトＵＡ  ２１０の信用証明書を検証するために、認証レスポンスを含む第２登録メッセージを処理する。前に述べたように、ＩＭＳ  ３００は、認証秘密データを含むフェムトＵＡサブスクリプションをプロビジョニングされ、フェムトＵＡ  ２１０は、ＩＭＳ認証データを格納する。したがって、ＨＳＳ  ３５０またはＣＳＣＦ  ３２０は、この情報を使用して、フェムトＵＡ  ２１０の信用証明書を検証することができる。フェムトＵＡ  ２１０が検証される場合に、ＣＳＣＦ  ３２０は、ユーザ・プロファイルについてＨＳＳ  ３５０に照会し、フェムトＵＡ  ２１０に関連するユーザ・プロファイルをＨＳＳ  ３５０からダウンロードする（Ａ３）。ＨＳＳ  ３５０からダウンロードされたユーザ・プロファイルは、フェムトＵＡ  ２１０に関連し、フェムトセル２００内に配置された移動局１００に関する情報を含まない。ユーザ・プロファイルは、呼タイプごとに含めるべきアプリケーション・サーバおよび再登録が発生しない場合にフェムトＵＡを登録解除すべきＩＭＳ登録有効性時刻値を示すフィルタ判断基準を含む。
【００４２】
本質的に、フェムトＵＡ  ２１０は、フェムトセル２００内に配置された移動局１００ヘのＩＭＳサービスを通信する許可を要求している。
【００４３】
フェムトＵＡ  ２１０が検証され、ユーザ・プロファイルがダウンロードされた後に、ＣＳＣＦ  ３２０は、フェムトＵＡ  ２１０が検証されたことを示すＳＩＰ  ２００  ＯＫメッセージを生成し、そのＳＩＰ  ２００  ＯＫメッセージをフェムトＵＡ  ２１０に送信して（Ｍ４）、ＭＦＩＦ  ３２０への登録についてフェムトＵＡ  ２１０に通知する。フェムトＵＡ  ２１０についてダウンロードされたフィルタ判断基準で示される場合に、ＣＳＣＦ  ３２０は、サード・パーティ登録メッセージをも生成し、ＭＦＩＦ  ３３０に送信して、フェムトＵＡ  ２１０の登録状況情報をサード・パーティ・アプリケーション・サーバすなわちＭＦＩＦ  ３３０に供給する（Ｍ５）。ＭＦＩＦ  ３３０は、ＳＩＰ  ２００  ＯＫ応答によってサード・パーティ登録メッセージに応答する（Ｍ６）。
【００４４】
ＭＦＩＦ  ３３０は、サード・パーティ登録メッセージの受信に応答して、グローバル・ランダム鍵Ｇｌｏｂａｌ＿ＲＡＮＤ＿Ｋｅｙをも生成する（Ａ４）。グローバル・ランダム鍵は、たとえば、６４ビット鍵とすることができる。さらに、ＭＦＩＦ  ３３０は、ＳＩＰメッセージを生成し、生成された鍵を、生成されたＳＩＰメッセージ内でＣＳＣＦ  ３２０に送信する（Ｍ７）。従来、ＩＭＳ認証が、上で述べたランダムに生成されまたは選択されるグローバル・ランダム鍵ではなく、フェムトおよびＨＳＳでプロビジョニングされるフェムト固有鍵を用いて実行されることに留意されたい。
【００４５】
ＣＳＣＦ  ３２０は、生成された鍵を含むＳＩＰメッセージをフェムトＵＡ  ２１０に送信する（Ｍ８）。フェムトＵＡ  ２１０は、受信したメッセージを処理し、ＳＩＰ  ２００  ＯＫ応答をＣＳＣＦ  ３２０に送信する（Ｍ９）。さらに、フェムトＵＡ  ２１０は、メッセージからグローバル・ランダム鍵を抽出し、たとえばＳＨＡ−１などの標準ハッシング・アルゴリズムを使用して、この鍵および時刻に基づいて乱数ＲＡＮＤを導出する（Ａ５）。次に、フェムトＵＡ  ２１０は、オーバーヘッド・メッセージ・トレーン（ＯＭＴ）内で乱数ＲＡＮＤをブロードキャストする（Ａ６）。
【００４６】
ＣＳＣＦ  ３２０は、ＳＩＰ  ２００  ＯＫメッセージを転送して、ＭＦＩＦ  ３３０へのフェムトＵＡ  ２１０の登録の完了についてＭＦＩＦ  ３３０に通知する（Ｍ１０）。
【００４７】
したがって、移動局１００は、ブロードキャストされた乱数ＲＡＮＤを受信し、フェムトＵＡ  ２１０の「ゲスト」としてフェムトＵＡ  ２１０を介してＩＭＳサービスを要求することができる。上で説明した登録プロセスが、移動局１００に関係する情報をＩＭＳ  ３００に供給することを必要としないことに留意されたい。したがって、上で説明した例示的な実施形態は、本開示の背景技術セクションで説明した従来の技法の問題で苦しまない。
【００４８】
図３は、フェムトセル２００内に配置されたＣＤＭＡ移動局１００のユーザの登録を示す信号流れ図である。図３の信号流れ図は、移動局１００、フェムトＵＡ  ２１０、ＣＳＣＦ  ３２０、ＭＦＩＦ  ３３０、およびＨＬＲ／ＡｕＣ  ４２０の間の通信を示す。図３に示されたフェムトＵＡ  ２１０は、ＩＭＳ  ３００に既に登録済みであると仮定する。たとえば、フェムトＵＡ  ２１０は、上で図２に関して説明した登録方法を使用して登録済みである場合がある。さらに、フェムトＵＡ  ２１０は、グローバル・チャレンジＲＡＮＤをブロードキャストしている。
【００４９】
図３を参照すると、移動局１００は、グローバル・チャレンジＲＡＮＤを受信し、フェムトＵＡ  ２１０とのＣＤＭＡ登録プロセスを開始する（Ａ１）。移動局１００は、ＣＤＭＡ  ＣＡＶＥ認証アルゴリズムを実行し、認証レスポンスＡＵＴＨＲをフェムトＵＡ  ２１０に通信して、ＣＤＭＡ登録を開始する（Ｍ１）。ＣＤＭＡ  ＣＡＶＥアルゴリズムが、周知であり、したがって、説明を短くするために本明細書で述べられないことに留意されたい。
【００５０】
フェムトＵＡ  ２１０は、ＡＵＴＨＲを受信し、ＳＩＰ  ＭＥＳＳＡＧＥを生成する。このＳＩＰ  ＭＥＳＳＡＧＥは、移動識別番号  ＭＩＮ、電子シリアル番号  ＥＳＮ、ＡＵＴＨＲ、乱数ＲＡＮＤ、および時刻を担持するパラメータＲＡＮＤＣを含む位置更新情報を含む。具体的に言うと、時刻は、ＲＡＮＤを生成するための入力として使用され、ＲＡＮＤＣは、時刻を担持すべき既存パラメータである。ＭＩＮおよびＥＳＮは、移動局１００に関係する数であり、フェムトＵＡ  ２１０には関係しない。生成されたＳＩＰメッセージは、ＣＳＣＦ  ３２０に送信される（Ｍ２）。
【００５１】
ＣＳＣＦ  ３２０は、ＭＦＩＦ  ３３０を識別するアドレスに基づいてこのＳＩＰメッセージをＭＦＩＦ  ３３０に転送する（Ｍ３）。ＭＦＩＦ  ３３０は、受信したメッセージを処理し、ＳＩＰ  ２０２メッセージが受け入れられたことを示すＳＩＰ  ２０２メッセージをＣＳＣＦ  ３２０に送信する（Ｍ４）。ＣＳＣＦ  ３２０は、このＳＩＰ  ２０２メッセージをフェムトＵＡ  ２１０に送信する（Ｍ５）。
【００５２】
まだ図３を参照すると、ＭＦＩＦ  ３３０は、ＲＡＮＤがグローバル・ランダム鍵および時刻の指定された入力について正しいことと、ＲＡＮＤ生成に使用される時刻が許容可能なタイム・インターバル内にあることとを検証する。ＭＦＩＦ  ３３０は、認証およびＨＬＲ／ＡｕＣ  ４２０への登録をも実行する。認証および登録は、ＭＦＩＦ  ３３０がＶＬＲとして働くことを可能にする。具体的に言うと、ＭＦＩＦ  ３３０は、認証要求ＡＵＴＨＲＥＱを含むＡＮＳＩ−４１  ＭＡＰメッセージを生成し、ＨＬＲ／ＡｕＣ  ４２０に送信する（Ｍ６）。この認証要求は、移動識別番号（ＭＩＮ）、移動局１００によって生成されたＡＵＴＨＲ、およびＲＡＮＤを含む。この情報の受信に応答して、ＨＬＲ／ＡｕＣ  ４２０は、認証要求戻り結果を含むＭＡＰメッセージを準備し、送信する（Ｍ７）。
【００５３】
登録通知ＲＥＧＮＯＴが、ＭＦＩＦ  ３３０とＨＬＲ／ＡｕＣ  ４２０との間で行われる（Ｍ８およびＭ９）。この登録通知に続いて、ＭＦＩＦ  ３３０は、ＨＬＲ／ＡｕＣ  ４２０からＶＬＲプロファイル・データを受信し、このＶＬＲプロファイル・データをＭＦＩＦ  ３３０内に格納する（Ａ２）。このＶＬＲプロファイル・データは、サービス・アクティブ化状況および発信規制、ならびにユーザのモバイルＤＮなどの移動局１００に関する情報を含む。
【００５４】
ＭＦＩＦ  ３３０は、認証プロセスまたは登録プロセスの成功または失敗についてフェムトＵＡ  ２１０に通知するために、ＳＩＰメッセージを生成し、ＣＳＣＦ  ３２０に通信する（Ｍ１０）。認証および登録が成功であった場合には、ＭＦＩＦ  ３３０は、ＣＤＭＡ移動局１００のＭＤＮ  ＭＤＮをも含める。ＣＳＣＦ  ３２０は、このＳＩＰメッセージをフェムトＵＡ  ２１０に転送する（Ｍ１１）。フェムトＵＡ  ２１０は、位置更新応答を移動局１００に供給し（Ｍ１２）、ＣＳＣＦ  ３２０にＳＩＰ  ２００  ＯＫメッセージで応答する（Ｍ１３）。ＣＳＣＦ  ３２０は、ＳＩＰ  ２００  ＯＫメッセージをＭＦＩＦ  ３３０に供給し（Ｍ１４）て、ＭＦＩＦ  ３３０への移動局１００の登録を完了する。
【００５５】
上で図３に関して説明したように、ＣＤＭＡサービスを受けるための登録は、ＣＤＭＡ移動局１００および認証イベントに関連する情報をＭＦＩＦ  ３３０に供給することを含むが、図２に関して説明したＩＭＳサービスに関する登録は、フェムトＵＡ  ２１０だけに関係する情報をＩＭＳ  ３００に供給することを含む。ＣＤＭＡサービスのための登録中に供給されるＣＤＭＡ移動局１００に関連する情報は、たとえば、ＥＳＮ、ＭＩＮ、およびＡＵＴＨＲを含む。
【００５６】
上の図２および３は、それぞれＩＭＳサービスおよびＣＤＭＡサービスに関する登録の方法を対象とする。図４および５は、それぞれ呼発信および呼終了の方法に関する。
【００５７】
図４を参照すると、フェムトＵＡ  ２１０は、フェムトセル２００内で移動局１００にグローバル・チャレンジＲＡＮＤをブロードキャストしている。フェムト−ＰＳＴＮ呼発信は、移動局１００ユーザが番号をダイヤルすることから始まる（Ａ１）。呼び出されたダイヤルされた番号ＤＮおよびＡＵＴＨＲを含むセット・アップ・メッセージが、移動局１００からフェムトＵＡ  ２１０に送信される（Ｍ１）。フェムトＵＡ  ２１０は、ＭＩＮ、ＥＳＮ、ＣｄＰＮ、認証パラメータその他など、移動局１００に関係する情報を含むＳＩＰ  ＩＮＶＩＴＥメッセージを生成する。したがって、フェムトＵＡ  ２１０は、ＩＭＳ  ３００によって呼発信者（すなわち、エンドポイント）と見なされる。しかし、フェムトＵＡ  ２１０は、ＳＩＰ  ＩＮＶＩＴＥメッセージのサブ・アドレス・ヘッダにモバイル・アイデンティティＭＤＮまたはＭＩＮを含める。
【００５８】
ＳＩＰ  ＩＮＶＩＴＥメッセージは、ＣＳＣＦ  ３２０に送信される（Ｍ２）。ＣＳＣＦ  ３２０のフィルタリング判断基準は、このＳＩＰ  ＩＮＶＩＴＥメッセージがＭＦＩＦ  ３３０に転送されることをもたらす（Ｍ３）。ＭＦＩＦ  ３３０は、移動局１００に関連する情報に基づいて、移動局１００を認証することができる。移動局１００が認証される場合に、ＭＦＩＦ  ３３０は、呼が継続することを可能にし、発呼当事者を識別するのに使用されたフィールド内のフェムトＵＡ  ２１０情報を移動局１００情報に置換し、発信が通常のＩＭＳ呼制御およびルーティングを用いて進行することを可能にする。ＭＦＩＦ  ３３０は、ＲＡＩＤがグローバル・ランダム鍵および時刻の指定された入力について正しいことと、ＲＡＮＤ生成で使用された時刻が許容可能なタイム・インターバル内にあることとを検証する。この処理に基づいて、ＭＦＩＦ  ３３０は、ＡＮＳＩ−４１  ＭＡＰメッセージを生成し、ＨＬＲ／ＡｕＣ  ４２０に送信する（Ｍ４）。ＭＡＰメッセージは、移動局１００のＭＩＮ、ＡＵＴＨＲ、およびＲＡＮＤを有する認証要求を含む。ＨＬＲ／ＡｕＣ  ４２０は、ＭＡＰ認証要求結果を生成し、ＭＦＩＦ  ３３０に送信して（Ｍ５）、ＭＦＩＦ  ３３０から受信したＭＡＰメッセージに応答する。さらに、ＭＦＩＦ  ３３０は、移動局１００のＭＤＮを含むＳＩＰ  ＩＮＶＩＴＥメッセージを生成し、ＣＳＣＦ  ３２０に送信する（Ｍ６）。代替実施形態では、呼は、ＨＬＲ／ＡｕＣ  ４２０からの認証結果を待たずに、継続することを許可される。
【００５９】
ＭＦＩＦ  ３３０からのＳＩＰ  ＩＮＶＩＴＥメッセージの受信に応答して、ＣＳＣＦ  ３２０は、ＳＩＰ  ＩＮＶＩＴＥメッセージをＭＧＣＦ／ＭＧＷ  ３４０に送信する（Ｍ７）。
【００６０】
ＭＧＣＦ／ＭＧＷ  ３４０は、ＳＩＰ  １８３  Ｓｅｓｓｉｏｎ  ＰｒｏｇｒｅｓｓメッセージをＣＳＣＦ  ３２０に送り返し（Ｍ８）、ＣＳＣＦ  ３２０は、ＳＩＰ  １８３  Ｓｅｓｓｉｏｎ  ＰｒｏｇｒｅｓｓメッセージをＭＦＩＦ  ３３０に送信する（Ｍ９）ことによってそのＳＩＰ  １８３  Ｓｅｓｓｉｏｎ  Ｐｒｏｇｒｅｓｓメッセージに応答する。ＭＦＩＦ  ３３０は、ＳＩＰ  １８３  Ｓｅｓｓｉｏｎ  ＰｒｏｇｒｅｓｓメッセージをＣＳＣＦ  ３２０に送信し（Ｍ１０）、ＣＳＣＦ  ３２０は、ＳＩＰ  １８３  Ｓｅｓｓｉｏｎ  ＰｒｏｇｒｅｓｓメッセージをフェムトＵＡ  ２１０に送信する（Ｍ１１）。
【００６１】
ＳＩＰ  １８３  ｓｅｓｓｉｏｎ  ｐｒｏｇｒｅｓｓメッセージに応答して、フェムトＵＡ  ２１０は、ＰＲＡＣＫを返し、このＰＲＡＣＫは、ＭＧＣＦ／ＭＧＷ  ３４０までずっと相互作用される。ＭＧＣＦ／ＭＧＷ  ３４０は、ＳＩＰ  ２００  ＯＫ肯定応答で応答し、移動局１００とＭＧＣＦ／ＭＧＷ  ３４０との間の呼出音用のベアラ・パス（ｂｅａｒｅｒ  ｐａｔｈ）が作成される（ＶＰ１）。
【００６２】
まだ図４を参照すると、ＤＮに関連する被呼移動局は、着呼について通知される（Ａ２）。被呼移動局のユーザが答える（Ａ３）場合には、応答表示が移動局１００に供給され、音声呼が確立される（ＶＰ２）。フェムトセル２００内の移動局１００が呼を切断（Ａ４）した後に、解放が移動局１００からフェムトＵＡ  ２１０に送信され（Ｍ１２）、ＳＩＰセッションが、ＭＧＣＦ／ＭＧＷ  ３４０までずっと解放される。
【００６３】
図５に、移動局１００、フェムトＵＡ  ２１０、ＣＳＣＦ  ３２０、ＭＦＩＦ  ３３０、ＭＧＣＦ／ＭＧＷ  ３４０、ＨＬＲ／ＡｕＣ  ４２０、およびＭＳＣ  ４１０の間の通信を示す。図５では、ＰＳＴＮユーザが、番号をダイヤルし、呼を発信し、この呼は、ＭＳＣにルーティングされる（Ａ１）。この例では、番号は、現在フェムトセル２００内に配置されている移動局１００に関連するダイヤルされた番号ＤＮである。移動局１００が、前に図２および３に関して説明したように、ＩＭＳ  ３００のＭＦＩＦ  ３３０によってサービスされているものとして登録されることに留意されたい。
【００６４】
ＭＳＣ  ４１０にルーティングされた呼の受信に応答して、ＭＳＣ  ４１０は、ＤＮに関連する移動局１００を突き止めることを試みる。具体的に言うと、ＭＳＣ  ４１０は、ＡＮＳＩ−４１  ＭＡＰメッセージを生成し、ＨＬＲ／ＡｕＣ  ４２０に送信する（Ｍ１）。このＭＡＰメッセージは、ロケーション要求である。ＨＬＲ／ＡｕＣ  ４２０は、どの移動局１００がＤＮに関連するのかを判定し、現在訪問されているＭＳＣとしてのＭＦＩＦ  ３３０に、その移動局１００のＭＩＮを含むルーティング要求を送信する（Ｍ２）。
【００６５】
ＭＦＩＦ  ３３０は、ＭＩＮによって識別される移動局１００の一時ローカル・ディレクトリ番号（ＴＬＤＮ）を割り当て、そのＴＬＤＮを識別された移動局１００のデータに関連付ける（Ａ２）。さらに、ＭＦＩＦ  ３３０は、そのＴＬＤＮをＨＬＲ／ＡｕＣ  ４２０に供給する（Ｍ３）。ＨＬＲ／ＡｕＣ  ４２０は、そのＴＬＤＮをＭＳＣ  ４１０に供給し（Ｍ４）、ＭＳＣ  ４１０は、被呼当事者アドレスとしてそのＴＬＤＮを使用して、呼をＭＧＣＦ／ＭＧＷ  ３４０にルーティングする（Ｍ５）。
【００６６】
ＭＧＣＦ／ＭＧＷ  ３４０は、ＴＬＤＮに基づいてＳＩＰ  ＩＮＶＩＴＥメッセージを生成し、ＣＳＣＦ  ３２０を介してＭＦＩＦ  ３３０に送信する（Ｍ６およびＭ７）。ＴＬＤＮは、このＳＩＰ  ＩＮＶＩＴＥメッセージの、一般に「ｒｅｑｕｅｓｔ  ＵＲＩ」と呼ばれる被呼当事者アドレス・フィールドに含まれる。
【００６７】
ＳＩＰ  ＩＮＶＩＴＥメッセージの受信に応答して、ＭＦＩＦ  ３３０は、ＴＬＤＮを関連するフェムトＵＡ  ２１０アドレスおよびＣＤＭＡ移動局１００アドレスに変換する（Ａ３）。具体的に言うと、ＭＦＩＦ  ３３０は、異なるＳＩＰ  ＩＮＶＩＴＥメッセージを生成する。このＳＩＰ  ＩＮＶＩＴＥメッセージでは、「ｒｅｑｕｅｓｔ  ＵＲＩ」フィールドに含まれるＴＬＤＮ（すなわち、宛先アドレス）は、フェムトＵＡ  ２１０アドレスに置換される。このＳＩＰ  ＩＮＶＩＴＥメッセージは、ＭＤＮまたはＭＩＮなど、移動局１００に関する情報を有するサブ・アドレス「Ｔｏ」フィールドをも含む。
【００６８】
ＭＦＩＦ  ３３０によって生成されたＳＩＰ  ＩＮＶＩＴＥメッセージは、ＣＳＣＦ  ３２０に送信される（Ｍ８）。ＣＳＣＦ  ３２０は、このＳＩＰ  ＩＮＶＩＴＥメッセージをフェムトＵＡ  ２１０に転送する（Ｍ９）。このＳＩＰ  ＩＮＶＩＴＥメッセージは、移動局１００のＭＤＮまたはＭＩＮを含む。
【００６９】
フェムトＵＡ  ２１０は、ＳＩＰ  ｉｎｖｉｔｅメッセージを受信し、受信したＳＩＰ  ＩＮＶＩＴＥメッセージのサブ・アドレスに含まれるＭＤＮまたはＭＩＮに基づいて移動局１００をページングする（Ｍ１０）。移動局１００は、ＡＵＴＨＲを含む応答によってページに応答する（Ｍ１１）。以前に受信したＳＩＰ  ＩＮＶＩＴＥに応答して、フェムトＵＡ  ２１０は、ＡＵＴＨＲ、ＲＡＮＤ、およびＲＡＮＤを生成するのに使用された時刻などの認証情報を含むＳＩＰ  １８０  Ｓｅｓｓｉｏｎ  ＰｒｏｇｒｅｓｓメッセージをＣＳＣＦ  ３２０に送信し（Ｍ１２）、ＣＳＣＦ  ３２０は、このＳＩＰ  １８０  ｓｅｓｓｉｏｎ  ｐｒｏｇｒｅｓｓメッセージをＭＦＩＦ  ３３０に供給する（Ｍ１３）。
【００７０】
まだ図５を参照すると、ＭＦＩＦ  ３３０は、移動局１００の認証を実行することができる。移動局１００が認証される場合には、ＭＡＰメッセージが、ＨＬＲ／ＡｕＣ  ４２０に供給される（Ｍ１４）。このＭＡＰメッセージは、移動局１００のＭＩＮ、移動局１００によって供給されたＡＵＴＨＲ、および乱数ＲＡＮＤを含むＡＵＴＨＲＥＱである。ＨＬＲ／ＡｕＣ  ４２０は、結果をＭＦＩＦ  ３３０に返す（Ｍ１５）。
【００７１】
当業者は、さまざまなｓｅｓｓｉｏｎ  ｐｒｏｇｒｅｓｓメッセージおよびＰＲＡＣＫメッセージが、フェムトＵＡ  ２１０、ＣＳＣＦ  ３２０、ＭＦＩＦ  ３３０、ＭＧＣＦ／ＭＧＷ  ３４０、ＨＬＲ／ＡｕＣ  ４２０、およびＭＳＣ  ４５０の間で送信されることを了解するであろう。ｓｅｓｓｉｏｎ  ｐｒｏｇｒｅｓｓメッセージおよびＰＲＡＣＫメッセージに続いて、呼出音が、ＭＧＣＦ／ＭＧＷ  ３４０によって呼を開始するユーザに供給され（ＶＰ１）、フェムトセル２００内に配置された被呼移動局１００が、呼について通知される。
【００７２】
被呼移動局１００のユーザが呼に答える（Ａ４）と仮定して、応答表示が、移動局１００からフェムトＵＡ  ２１０に送信される（Ｍ１６）。呼に答えることに応答して、２００  ＯＫ（ＩＮＶＩＴＥに対する応答）メッセージおよび肯定応答ＡＣＫ信号が、被呼移動局１００と発呼当事者との間で音声経路（ＶＰ２）を確立するために、フェムトＵＡ  ２１０、ＣＳＣＦ  ３２０、ＭＦＩＦ  ３３０、ＭＧＣＦ／ＭＧＷ  ３４０、ＨＬＲ／ＡｕＣ  ４２０、およびＭＳＣ  ４５０の間で通信される。図５は、呼が答えられたことを示すメッセージが、ＭＧＣＦ／ＭＧＷ  ３４０およびＭＳＣ  ４１０から送信され（Ｍ１７）、音声経路（ＶＰ２）が、ＭＳＣ  ４１０と移動局１００との間で確立されることを示す。フェムトＵＡ  ２１０ユーザが呼を切断（Ａ５）した後に、解放メッセージ（ＢＹＥ／２００  ＯＫ−ＢＹＥ）および（Ｍ１８）が送信され、確立された音声経路が解放される。
【００７３】
例示的な実施形態はこのように説明されるが、これを多数の形で変更できることは明白である。そのような変形形態は、本願の教示からの逸脱とみなされてはならず、そのような変更のすべてが、本願の範囲に含まれることが意図されている。
【図１】
2011502399.tif 000003
【図２Ａ】
2011502399.tif 000004
【図２Ｂ】
2011502399.tif 000005
【図２Ｃ】
2011502399.tif 000006
【図３Ａ】
2011502399.tif 000007
【図３Ｂ】
2011502399.tif 000008
【図３Ｃ】
2011502399.tif 000009
【図４Ａ】
2011502399.tif 000010
【図４Ｂ】
2011502399.tif 000011
【図４Ｃ】
2011502399.tif 000012
【図４Ｄ】
2011502399.tif 000013
【図５Ａ】
2011502399.tif 000014
【図５Ｂ】
2011502399.tif 000015
【図５Ｃ】
2011502399.tif 000016
【図５Ｄ】
2011502399.tif 000017
【図５Ｅ】
2011502399.tif 000018
【国際調査報告】
2011502399.tif 000019
2011502399.tif 000020